(57)【要約】【課題】マンホール蓋とアスファルトとに跨って付着された場合に容易に剥がれてしまうことを回避する。【解決手段】マンホール蓋３とアスファルト２とに跨って付着される封止タグ１であって、コーキング剤からなる基材１０から構成され、基材１０は、アスファルト２に対向する領域ではアスファルト２の表面に存在する凹部２ａにその一部が入り込んでいる。【選択図】図１
2019174687.tif 000002
【特許請求の範囲】
【請求項１】
マンホール蓋とアスファルトとに跨って付着される封止タグであって、
コーキング剤からなる基材から構成され、
前記基材は、前記アスファルトに対向する領域では当該アスファルトの表面に存在する凹部にその一部が入り込んでいる封止タグ。
【請求項２】
請求項１に記載の封止タグにおいて、
前記基材のうち、少なくとも前記マンホール蓋と前記アスファルトとの境界部分に対向する領域に、前記基材の当該領域が破壊された場合に発色する発色層を有する、封止タグ。
【請求項３】
請求項２に記載の封止タグの製造方法であって、
マンホール蓋とアスファルトとに亘ってコーキング剤を塗布する工程と、
前記塗布されたコーキング剤上に前記発色層を積層する工程と、
前記発色層を覆うようにコーキング剤を塗布する工程とを有する、封止タグの製造方法。
【発明の詳細な説明】
【技術分野】
【０００１】
本発明は、マンホール蓋を不正に開けにくくする封止タグに関する。
【背景技術】
【０００２】
従来、開封部分を具備する被着体にラベルを貼着しておき、第三者が被着体を不正に開封できないようにする技術が利用されている。また近年では、そのようなラベルにおいて、被着体から剥離した場合にその形跡を残すことで、第三者による不正な剥離を検出できるものも考えられている（例えば、特許文献１参照）。
【０００３】
ところで、昨今、世界各地では爆破等のテロ事件が発生しており、特に大きなイベントの開催時や要人が来日する際等においては、テロ事件の未然防止が要求される。このようなテロ事件の未然防止の１つとして、マンホール内の安全性の確保が挙げられる。マンホール内に爆弾等が仕掛けられた場合、無差別に多くの死傷者が出ることが予想されるため、マンホール蓋を不正に開けられなくしておくことが、マンホール内の安全性の確保の面から好ましい。
【０００４】
そこで、上述したようなラベルをマンホール蓋とその周囲に跨って貼着していくことで、マンホール蓋を不正に開けられなくすることが考えられる。
【先行技術文献】
【特許文献】
【０００５】
【特許文献１】登録実用新案公報第３０４５７５７号公報
【発明の概要】
【発明が解決しようとする課題】
【０００６】
マンホールは一般的に、道路に敷設されているが、道路はアスファルトで舗装されている場合が多く、上記のようにしてマンホール内の安全性を確保するためには、マンホール蓋とその周囲のアスファルトとに跨ってラベルを貼着することになる。
【０００７】
しかしながら、アスファルトは、その表面にいくつもの凹部が不規則に存在するため、マンホール蓋とその周囲のアスファルトとに跨ってラベルを貼着したとしても、ラベルのうちアスファルトに貼着された部分が容易に剥がれてしまうという問題点がある。
【０００８】
本発明は、上述したような従来の技術が有する問題点に鑑みてなされたものであって、マンホール蓋とアスファルトとに跨って付着された場合に容易に剥がれてしまうことを回避できる封止タグを提供することを目的とする。
【課題を解決するための手段】
【０００９】
上記目的を達成するために本発明は、
マンホール蓋とアスファルトとに跨って付着される封止タグであって、
コーキング剤からなる基材から構成され、
前記基材は、前記アスファルトに対向する領域では当該アスファルトの表面に存在する凹部にその一部が入り込んでいる。
【００１０】
上記のように構成された本発明においては、コーキング剤からなる基材から構成されており、マンホール蓋とアスファルトとに跨って付着された状態において、基材自体が、アスファルトに対向する領域にてアスファルトの表面に存在する凹部にその一部が入り込んでいるので、アスファルトに対向する領域がアスファルトから容易に剥がれてしまうことが回避されることになる。
【００１１】
また、基材のうち、少なくともマンホール蓋とアスファルトとの境界部分に対向する領域に、基材のその領域が破壊された場合に発色する発色層を有するものであれば、マンホール蓋とアスファルトとの境界部分に対向する領域を破壊してマンホール蓋を開けようとした場合に発色層が発色することとなり、マンホール蓋を開けようとした痕跡が残ることになる。
【００１２】
また、上述した封止タグは、
マンホール蓋とアスファルトとに亘ってコーキング剤を塗布する工程と、
前記塗布されたコーキング剤上に前記発色層を積層する工程と、
前記発色層を覆うようにコーキング剤を塗布する工程とによって製造することが考えられる。
【発明の効果】
【００１３】
本発明によれば、コーキング剤からなる基材から構成され、基材が、アスファルトに対向する領域ではアスファルトの表面に存在する凹部にその一部が入り込んでいるため、マンホール蓋とアスファルトとに跨って付着された場合に容易に剥がれてしまうことを回避できる。
【００１４】
また、基材のうち、少なくともマンホール蓋とアスファルトとの境界部分に対向する領域に、基材のその領域が破壊された場合に発色する発色層を有するものにおいては、マンホール蓋とアスファルトとの境界部分に対向する領域を破壊してマンホール蓋を開けようとした場合に発色層が発色することとなり、マンホール蓋を開けようとした痕跡を残すことができる。
【図面の簡単な説明】
【００１５】
【図１】本発明の封止タグの実施の一形態を示す図であり、（ａ）は使用状態を示す図、（ｂ）は（ａ）に示したＡ−Ａ’断面図、（ｃ）は表面図である。
【図２】図１に示した封止タグの製造方法を説明するための図である。
【図３】図１に示した封止タグの発色層による作用を説明するための図である。
【図４】図１に示した封止タグのマンホール蓋及びアスファルトからの剥離方法を説明するための図である。
【発明を実施するための形態】
【００１６】
以下に、本発明の実施の形態について図面を参照して説明する。
【００１７】
図１は、本発明の封止タグの実施の一形態を示す図であり、（ａ）は使用状態を示す図、（ｂ）は（ａ）に示したＡ−Ａ’断面図、（ｃ）は表面図である。
【００１８】
本形態は図１に示すように、マンホール蓋２の外周のうち所定の領域において、マンホール蓋３とその周囲のアスファルト２とに跨って付着された封止タグ１であって、コーキング剤からなる基材１０内に発色層３０及び表示部材２０が内包されて構成されている。
【００１９】
基材１０を構成するコーキング剤としては、変形シリコーン系のＭＳ（Modified Silicone）ポリマーからなるものが耐候性に優れていることから好ましく、硬化媒体を加えた場合に常温で大気中の水と反応して弾性体となる液状ポリマーを使用することができる。そのようなコーキング剤としては、例えば株式会社カネカ製のカネカＭＳポリマーが挙げられる。また、基材１０を構成するコーキング剤としては、変形シリコーン系のＭＳ（Modified Silicone）ポリマーからなるものに限らず、ポリウレタン系のものであってもよい。
【００２０】
発色層３０は、基材１０よりも一回り小さな外形を有することで、封止タグ１がマンホール蓋３とその周囲のアスファルト２とに跨って付着された場合にマンホール蓋３とアスファルト２との境界部分に対向する領域に配置された状態となっている。
【００２１】
発色層３０としては、破壊された場合に発色する周知のものを使用することができる。例えば、ただ単に顔料からなるシート状のものであって、基材１０が破壊された場合にその破壊された部分から顔料が外部に滲み出るものや、大気に触れることで発色するインクを用いたもの等が考えられる。また、マイクロカプセル内に顔料等を収容したものであってもよく、その場合、マイクロカプセルが破壊されることで顔料等が外部に滲み出ることによって発色することになる。さらに、発色剤が収容されたマイクロカプセルと顕色剤との混合体からなるものであってもよく、その場合、マイクロカプセルが破壊されることで発色剤が顕色剤と混ざり合って発色することになる。
【００２２】
表示部材２０は、発色層３０上に重なって積層されており、封止タグ１がマンホール蓋３とアスファルト２とに跨って付着された年月日等を記入可能に構成されたシート状のものである。
【００２３】
上記のように構成された封止タグ１は、マンホール蓋３とその周囲のアスファルト２とに跨って付着されているが、図１（ｂ）に示すように、アスファルト２に対向する領域においては、アスファルト２の表面に存在する凹部２ａに基材１０の一部が入り込んでいる。
【００２４】
以下に、上記のように構成された封止タグ１の製造方法について説明する。
【００２５】
図２は、図１に示した封止タグ１の製造方法を説明するための図である。
【００２６】
図１に示した封止タグ１を製造する場合は、まず、マンホール蓋３とその周囲のアスファルト２とのうち、封止タグ１を付着させる領域に、基材１０の外形を有する枠部材４を配置し、その枠部材４内にコーキング剤１０ａを塗布する（図２（ａ））。これにより、マンホール蓋３とその周囲のアスファルト２とに亘ってコーキング剤１０ａを塗布することになる。その際、アスファルト２の表面には、いくつもの凹部２ａが不規則に存在しているが、コーキング剤１０ａが液状であることで凹部２ａに入り込んだ状態となる。
【００２７】
次に、コーキング剤１０ａ上に発色層３０及び表示部材２０を順次積層する（図２（ｂ），（ｃ））。
【００２８】
次に、発色層３０及び表示部材２０を覆うようにコーキング剤１０ｂを塗布し、コーキング剤１０ａとコーキング剤１０ｂとを接合させることで、発色層３０及び表示部材２０を内包した基材１０を形成する（図２（ｄ））。
【００２９】
その後、枠部材４を取り去り、図１に示した封止タグ１を完成させる。なお、枠部材４としては、塗布したコーキング剤１０ａ，１０ｂが、封止タグ１を付着させる領域外に流れ出ないようにするために十分な高さを有するものであればよく、テープ等を用いてもよい。
【００３０】
このように、本形態の封止タグ１は、マンホール蓋３とアスファルト２とに跨って付着される前に予め製造されるものではなく、封止タグ１を付着する現場で製造されるものである。
【００３１】
以下に、上記のようにして製造された封止タグ１の作用について説明する。
【００３２】
上記のようにして製造された封止タグ１においては、コーキング剤１０ａ，１０ｂからなる基材１０から構成されており、マンホール蓋３とアスファルト２とに跨って付着された状態において、基材１０自体が、アスファルト２に対向する領域にてアスファルト２の表面に存在する凹部２ａにその一部が入り込んでいるので、アスファルト２に対向する領域がアスファルト２から容易に剥がれてしまうことが回避されることになる。
【００３３】
図３は、図１に示した封止タグ１の発色層３０による作用を説明するための図である。
【００３４】
図１に示したようにしてマンホール蓋３とその周囲のアスファルト２とに跨って封止タグ１が付着された状態において、図３（ａ）に示すように、マンホール蓋３を開けようとして封止タグ１のうちマンホール蓋３とアスファルト２との境界部分に対向する領域を、カッターナイフ等の刃５によって切断することで破壊すると、基材１０に内包された発色層３０が破壊することで発色し、それにより、図３（ｂ）に示すように、発色領域３１が外部から視認可能に現れることになる。そのため、この発色領域３１によって、マンホール蓋３を開けようとした痕跡を視認可能な状態で残すことができる。
【００３５】
図４は、図１に示した封止タグ１のマンホール蓋３及びアスファルト２からの剥離方法を説明するための図である。
【００３６】
上記のようにしてマンホール蓋３とアスファルト２とに跨って付着された封止タグ１を剥離する場合は、図４（ａ）に示すように、基材１０のマンホール蓋３及びアスファルト２に対する付着面と、マンホール蓋３またはアスファルト２の表面との境界にカッターナイフ等の刃５を入り込ませ、図４（ｂ）に示すように、基材１０をマンホール蓋３またはアスファルト２の表面からそぎ剥がすことで、封止タグ１をマンホール蓋３及びアスファルト２からの剥離することができる。
【００３７】
なお、本形態においては、発色層３０が、基材１０よりも一回り小さな外形を有することで、封止タグ１がマンホール蓋３とその周囲のアスファルト２とに跨って付着された場合にマンホール蓋３とアスファルト２との境界部分に対向する領域に配置された状態となっているが、発色層３０は、基材１０のうち、少なくともマンホール蓋３とアスファルト２との境界部分に対向する領域に配置されていればよい。また、表示部材２０は、発色層３０の一部のみに重なるように配置されていてもよく、発色層３０と並んで配置されていてもよい。
【００３８】
また、図１に示した封止タグ１を構成する基材１０のうち、発色層３０及び表示部材２０の図中上側のみを、発色層３０及び表示部材２０が積層された状態で封止タグ用部材として製造しておき、その後、マンホール蓋３とその周囲のアスファルト２とに亘ってコーキング剤１０ａを塗布し、そのコーキング剤１０ａ上にその封止タグ用部材を積層し、マンホール蓋３とその周囲のアスファルト２とに亘って塗布されたコーキング剤１０ａを封止タグ用部材の基材１０に接合させて一体化して封止タグ１を製造してもよい。
【符号の説明】
【００３９】
１    封止タグ
２    アスファルト
２ａ    凹部
３    マンホール蓋
４    枠部材
５    刃
１０    基材
１０ａ，１０ｂ    コーキング剤
２０    表示部材
３０    発色層
３１    発色領域
【図１】
2019174687.tif 000003
【図２】
2019174687.tif 000004
【図３】
2019174687.tif 000005
【図４】
2019174687.tif 000006